(57)【要約】【課題】処理の実行を効率化し、生データ収集部の増設を抑制することが可能になる。【解決手段】ＭＲＩ装置１００は、生データ収集部１０を備える。生データ収集部１０には、ＭＲＩエコー信号の生データを蓄積し、蓄積した生データに対する補正処理を行うバッファメモリ基板が搭載される。また生データ収集部１０は、バッファメモリ基板によって補正処理が行われた生データをバッファメモリ基板から取得し、取得した生データを収集する。また、ＭＲＩ装置１００は、画像再構成部１２を備える。画像再構成部１２は、生データ収集部１０によって収集された生データを生データ収集部１０から取得し、取得した生データを用いて画像を再構成する。【選択図】図１
2011143032.tif 000002
【特許請求の範囲】
【請求項１】
磁気共鳴イメージングエコー信号の生データを蓄積し、蓄積した生データに対する補正処理を行う蓄積部と、
前記蓄積部によって補正処理が行われた生データを該蓄積部から取得し、取得した生データを収集する生データ収集部と、
前記生データ収集部によって収集された生データを該生データ収集部から取得し、取得した生データを用いて画像を再構成する画像再構成部と
を備えたことを特徴とする磁気共鳴イメージング装置。
【請求項２】
前記蓄積部は、予め設定された演算を実行する論理回路が配置された基板であることを特徴とする請求項１に記載の磁気共鳴イメージング装置。
【請求項３】
前記蓄積部は、情報の書き換えが可能な記憶部をさらに備え、該記憶部に記憶された情報に従って前記論理回路に演算を実行させることを特徴とする請求項２に記載の磁気共鳴イメージング装置。
【請求項４】
前記蓄積部は、補正処理を行うか否かの指示を受け付け、受け付けた指示に応じて、蓄積した生データに対する補正処理を行うか否かを選択することを特徴とする請求項１〜３のいずれか一つに記載の磁気共鳴イメージング装置。
【請求項５】
前記生データ収集部は、前記蓄積部から取得した生データが、再構成に用いられる情報を含む生データであるか否かを判定し、再構成に用いられる情報を含む生データであると判定した場合には、取得した該生データを前記画像再構成部に転送するように制御し、再構成に用いられる情報を含まない生データであると判定した場合には、取得した該生データを前記画像再構成部に転送しないように制御することを特徴とする請求項１〜４のいずれか一つに記載の磁気共鳴イメージング装置。
【発明の詳細な説明】
【技術分野】
【０００１】
本発明は、磁気共鳴イメージング装置に関する。
【背景技術】
【０００２】
従来、磁気共鳴イメージング装置（以下、ＭＲＩ（Magnetic  Resonance  Imaging）装置という）においては、生データ収集部が、ＭＲＩエコー信号の生データを収集し、画像再構成部が、生データ収集部によって収集された生データを用いて画像を再構成する（例えば特許文献１）。
【０００３】
図８は、従来技術を説明するための図である。例えば複数チャネルの生データを収集する場合、従来のＭＲＩ装置は、複数の生データ収集部を備える。１台の生データ収集部が実行できる処理には限界があり、１台の生データ収集部が収集できるチャネル数には限界があるからである。ある撮像において、例えば３２チャネル分の生データを収集する場合、ＭＲＩ装置は、図８に例示するように、例えば４台の生データ収集部（＃１〜＃４）を備え、各生データ収集部が８チャネルずつ生データを収集することで、合計３２チャネル分の生データを収集する。なお、図８において、黒の直線矢印は、生データ収集部から画像再構成部に対する生データの流れを示し、白抜きの直線矢印は、画像再構成部からホストコンピュータに対する画像の流れを示す。
【先行技術文献】
【特許文献】
【０００４】
【特許文献１】特開２００７−１８５２５０号公報
【発明の概要】
【発明が解決しようとする課題】
【０００５】
ここで、上記従来技術では、例えばチャネルの数が増えるなど、撮像に要求される事項に変化があると、生データ収集部を増設することで対応せざるを得なかった。１台の生データ収集部が実行できる処理には限界があるからである。しかしながら、生データ収集部の増設は、省スペース、省電力、費用などの観点から望ましくない。
【０００６】
本発明は、上記に鑑みてなされたものであって、処理の実行を効率化し、生データ収集部の増設を抑制することが可能な磁気共鳴イメージング装置を提供することを目的とする。
【課題を解決するための手段】
【０００７】
上記した課題を解決し、目的を達成するために、請求項１に記載の磁気共鳴イメージング装置は、磁気共鳴イメージングエコー信号の生データを蓄積し、蓄積した生データに対する補正処理を行う蓄積部と、前記蓄積部によって補正処理が行われた生データを該蓄積部から取得し、取得した生データを収集する生データ収集部と、前記生データ収集部によって収集された生データを該生データ収集部から取得し、取得した生データを用いて画像を再構成する画像再構成部とを備える。
【発明の効果】
【０００８】
請求項１に記載の磁気共鳴イメージング装置によれば、処理の実行を効率化し、生データ収集部の増設を抑制することが可能になるという効果を奏する。
【図面の簡単な説明】
【０００９】
【図１】図１は、実施例１に係るＭＲＩ装置１００の構成を示すブロック図である。
【図２】図２は、生データ収集部１０の構成を示すブロック図である。
【図３】図３は、生データ収集部１０の構成を示すブロック図である。
【図４】図４は、バッファメモリ基板メモリから生データ収集部メモリに対する生データの転送を説明するための図である。
【図５】図５は、補正処理の実行モードを説明するための図である。
【図６】図６は、生データ収集部１０における生データの並べ替えを説明するための図である。
【図７】図７は、生データ収集部１０における転送制御を説明するための図である。
【図８】図８は、従来技術を説明するための図である。
【発明を実施するための形態】
【００１０】
以下、本発明に係るＭＲＩ装置の実施例を詳細に説明する。なお、以下の実施例により本発明が限定されるものではない。
【実施例１】
【００１１】
［実施例１に係るＭＲＩ装置の構成］
図１を用いて、実施例１に係るＭＲＩ装置１００の構成を説明する。図１は、実施例１に係るＭＲＩ装置１００の構成を示すブロック図である。図１に例示するように、実施例１に係るＭＲＩ装置１００は、特に、静磁場磁石１と、傾斜磁場コイル２と、傾斜磁場電源３と、寝台４と、送信コイル５と、受信コイル６と、送信部７と、受信部８と、リアルタイムシーケンサ９と、生データ収集部１０と、画像再構成部１２と、ホストコンピュータ２０とを備える。
【００１２】
静磁場磁石１は、中空の円筒形状に形成され、内部の空間に一様な静磁場を発生する。静磁場磁石１は、例えば、永久磁石、超伝導磁石などである。傾斜磁場コイル２は、中空の円筒形状に形成され、内部の空間に傾斜磁場を発生する。具体的には、傾斜磁場コイル２は、静磁場磁石１の内側に配置され、傾斜磁場電源３から電流の供給を受けて傾斜磁場を発生する。傾斜磁場電源３は、リアルタイムシーケンサ９から送られるパルスシーケンス実行データに従って、傾斜磁場コイル２に電流を供給する。
【００１３】
寝台４は、被検体Ｐが載置される天板４ａを備え、天板４ａを、被検体Ｐが載置された状態で傾斜磁場コイル２の空洞（撮像口）内へ挿入する。通常、寝台４は、長手方向が静磁場磁石１の中心軸と平行になるように設置される。
【００１４】
送信コイル５は、高周波磁場を発生する。具体的には、送信コイル５は、傾斜磁場コイル２の内側に配置され、送信部７から高周波パルスの供給を受けて、高周波磁場を発生する。送信部７は、リアルタイムシーケンサ９から送られるパルスシーケンス実行データに従って、ラーモア周波数に対応する高周波パルスを送信コイル５に送信する。
【００１５】
受信コイル６は、ＭＲＩエコー信号を受信する。具体的には、受信コイル６は、傾斜磁場コイル２の内側に配置され、高周波磁場の影響によって被検体Ｐから放射されるＭＲＩエコー信号を受信する。また、受信コイル６は、受信したＭＲＩエコー信号を受信部８に出力する。例えば、受信コイル６は、頭部用の受信コイル、脊椎用の受信コイル、腹部用の受信コイルなどである。
【００１６】
受信部８は、リアルタイムシーケンサ９から送られるパルスシーケンス実行データに従って、受信コイル６から出力されたＭＲＩエコー信号に基づきＭＲＩエコー信号データを生成する。具体的には、受信部８は、受信コイル６から出力されたＭＲＩエコー信号をデジタル変換することによってＭＲＩエコー信号データを生成し、生成したＭＲＩエコー信号データを生データ収集部１０に送信する。
【００１７】
リアルタイムシーケンサ９は、傾斜磁場電源３、送信部７及び受信部８に接続され、接続された各部とホストコンピュータ２０との間で送受信されるデータの入出力を制御する。生データ収集部１０は、受信部８から送信されたＭＲＩエコー信号データを収集する。生データ収集部１０は、ＭＲＩエコー信号データを収集すると、収集したＭＲＩエコー信号データを画像再構成部１２に送信する。なお、生データ収集部１０については、後に詳細に説明する。画像再構成部１２は、生データ収集部１０から送信されたＭＲＩエコー信号データから画像データを再構成し、再構成した画像データをホストコンピュータ２０の記憶部２１に格納する。
【００１８】
ホストコンピュータ２０は、特に、記憶部２１と、制御部２２と、入力部２３と、表示部２４とを備える。記憶部２１は、画像再構成部１２によって格納された画像データを記憶する。例えば、記憶部２１は、ＲＡＭ（Random  Access  Memory）、フラッシュメモリ（flash  memory）などの半導体メモリ素子、または、ハードディスク、光ディスクなどである。
【００１９】
制御部２２は、上記各部を制御することによってＭＲＩ装置１００を総括的に制御する。例えば、制御部２２は、ＡＳＩＣ（Application  Specific  Integrated  Circuit）やＦＰＧＡ（Field  Programmable  Gate  Array）などの集積回路、または、ＣＰＵ（Central  Processing  Unit）やＭＰＵ（Micro  Processing  Unit）などの電子回路である。
【００２０】
入力部２３は、撮像指示などを操作者から受け付ける。例えば、入力部２３は、マウスやトラックボールなどのポインティングデバイス、モード切替スイッチ等の選択デバイス、あるいはキーボード等の入力デバイスである。表示部２４は、画像データなどを表示する。例えば、表示部２４は、液晶表示器などの表示デバイスである。
【００２１】
［生データ収集部］
続いて、図２〜図７を用いて、生データ収集部１０について詳細に説明する。図２及び図３は、生データ収集部１０の構成を示すブロック図である。
【００２２】
まず、図２に例示するように、実施例１に係るＭＲＩ装置１００は、２台の生データ収集部１０を備える。具体的には、ＭＲＩ装置１００は、生データ収集部１０−１及び生データ収集部１０−２を備える。また、生データ収集部１０−１は、バッファメモリ基板１１−１及びバッファメモリ基板１１−２を備える。また、同様に、生データ収集部１０−２は、バッファメモリ基板１１−３及びバッファメモリ基板１１−４を備える。
【００２３】
なお、以下では、２台の生データ収集部を総称する際には、「生データ収集部１０」といい、各生データ収集部を区別する際には、「生データ収集部１０−１」あるいは「生データ収集部１０−２」という。また、２つのバッファメモリ基板を総称する際には、「バッファメモリ基板１１」といい、各バッファメモリ基板を区別する際には、「バッファメモリ基板１１−１」あるいは「バッファメモリ基板１１−２」という。また、図２においては、ＭＲＩ装置１００が２台の生データ収集部１０を備え、生データ収集部１０それぞれが２つのバッファメモリ基板１１を備える例を示したが、本発明はこれに限られるものではない。生データ収集部１０の台数や、生データ収集部１０それぞれが備えるバッファメモリ基板１１の数などは、撮像条件などに応じて任意に変更することが可能である。
【００２４】
図３に例示するように、例えば、生データ収集部１０−１は、生データ収集部メモリ１０−１ａと、バッファメモリ基板１１−１と、バッファメモリ基板１１−２とを備える。また、例えば、バッファメモリ基板１１−１は、論理回路１１−１ａと、論理式メモリ１１−１ｂと、バッファメモリ基板メモリ１１−１ｃと、インタフェース１１−１ｄとを備える。
【００２５】
ここで、バッファメモリ基板１１−１は、ＭＲＩエコー信号の生データをインタフェース１１−１ｄを介して受信すると、受信した生データをバッファメモリ基板メモリ１１−１ｃに蓄積する。また、バッファメモリ基板１１−１は、バッファメモリ基板メモリ１１−１ｃに蓄積した生データに対する補正処理を１ポイントごとに行う。補正処理は、例えば、生データに対する加算平均処理、位相補正処理など（複素の整数、複素の浮動小数の生データに対する補正処理など）であり、論理回路１１−１ａによって実行される。例えば、１エコーで収集される１ライン分の生データに５１２ポイントの画素が含まれている場合、論理回路１１−１ａは、１ポイントずつ、補正処理を行う。
【００２６】
ここで、論理回路１１−１ａは、予め設定された演算を実行する論理回路である。論理式メモリ１１−１ｂは、情報の書き換えが可能な不揮発性のメモリである。すなわち、論理回路１１−１ａは、論理式メモリ１１−１ｂに記憶された論理式に従って演算を実行し、補正処理を行う。
【００２７】
例えば、実施例１において、論理回路１１−１ａは、ＦＰＧＡ（Field  Programmable  Gate  Array）である。もっとも、本発明の論理回路１１はＦＰＧＡに限られるものではなく、論理式の書き換えが可能な他の論理回路であってもよい。また、必ずしも論理式の書き換えも必須ではなく、固定的に設定された演算を実行する論理回路であってもよい。
【００２８】
次に、図４を用いて、バッファメモリ基板メモリ１１−１ｃから生データ収集部メモリ１０−１ａに対する生データの転送を説明する。図４は、バッファメモリ基板メモリから生データ収集部メモリに対する生データの転送を説明するための図である。
【００２９】
図４に例示するように、実施例１におけるバッファメモリ基板メモリ１１−１ｃは、生データを、１ラインごとに生データ収集部メモリ１０−１ａに対して転送する。ここで、バッファメモリ基板メモリ１１−１ｃから生データ収集部メモリ１０−１ａに対して転送される生データは、論理回路１１−１ａによる補正処理が行われたものである。すなわち、生データ収集部１０−１は、バッファメモリ基板１１−１によって補正処理が行われた生データを、１ラインずつ、バッファメモリ基板メモリ１１−１ｃから取得する。
【００３０】
ところで、実施例１におけるバッファメモリ基板１１は、補正処理を行うか否かを選択することが可能である。例えば、実施例１におけるホストコンピュータ２０は、生データ収集部１０に対して、予め、撮像条件などとともに補正処理の実行モードに関する指示を送信する。例えば、ＥＰＩ（Echo  planar  imaging）撮像など、高速な撮像が行われる場合には、ホストコンピュータ２０は、補正処理非実行の指示を送信する。一方、通常の撮像が行われる場合には、ホストコンピュータ２０は、補正処理実行の指示を送信する。
【００３１】
図５は、補正処理の実行モードを説明するための図である。図５に例示するように、生データ収集部１０は、ホストコンピュータ２０から送信された指示に基づき補正処理の実行モードを判定し（ステップＳ１０１）、補正処理実行モードの指示であれば（ステップＳ１０２）、補正処理を実行すべきことをバッファメモリ基板１１に通知する（ステップＳ１０３）。一方、補正処理非実行モードの指示であれば（ステップＳ１０４）、生データ収集部１０は、補正処理を実行すべきでないことをバッファメモリ基板１１に通知する（ステップＳ１０５）。すると、バッファメモリ基板メモリ１１は、生データ収集部１０から受信した通知に従い、補正処理を実行するか否かを選択する。
【００３２】
なお、必ずしもホストコンピュータ２０から生データ収集部１０に対して補正処理の実行モードに関する指示が送信される必要はなく、例えば、生データ収集部１０が、ホストコンピュータ２０から受信した撮像条件に基づき、補正処理を実行するか否かを判定し、判定結果に基づいて、補正処理を実行するか否かの指示をバッファメモリ基板メモリ１１−１ｃに通知してもよい。実施例１における生データ収集部１０は、補正処理の負荷が軽減される分、他の処理を行うことが可能になるので、例えば、補正処理を実行するか否かの判定を行ってもよい。
【００３３】
ところで、図２に例示したように、実施例１における生データ収集部１０は、１台の生データ収集部が、例えば１６チャネル分の生データを収集する。図８を用いて説明した従来の生データ収集部が、１台で８チャネル分の生データを収集していたことと比較すると、実施例１における生データ収集部１０は、実行できる処理が増えたこととなる。この点について説明する。
【００３４】
生データ収集部１０において実行できる処理が増えた理由は、バッファメモリ基板１１に補正処理を行わせたことにある。図３を用いて説明したように、例えば、バッファメモリ基板１１−１は、予め設定された演算を実行する論理回路１１−１ａが配置された基板であり、この論理回路１１−１ａが、補正処理を実行する。このような論理回路１１−１ａは、１クロックごとに予め設定された演算を実行する方式であるので、処理が高速になり、かつ、処理時間の予測も可能である。したがって、論理回路１１−１ａによる補正処理は、高速かつ処理時間を予測することが可能なものとなる。
【００３５】
これに対し、仮に、生データ収集部１０のＣＰＵが補正処理を実行すると、ＣＰＵは、単に予め設定された演算を実行するわけではなく、例えば、予測していない割り込み処理なども実行する。クロックを比較しても、ＣＰＵのクロックは、論理回路１１−１ａのクロックよりも遥かに遅い。このため、生データ収集部１０による補正処理は、低速かつ処理時間を予測することが不可能なものとなる。
【００３６】
そうであるとすると、実施例１のように、バッファメモリ基板１１において高速に補正処理を行わせ、生データ収集部１０は、補正処理が行われた生データをバッファメモリ基板１１から取得する構成にすれば、単に補正処理が迅速化されるのみならず、生データ収集部１０の処理負荷が、少なくとも補正処理の分、軽減されるはずである。ひいては、生データ収集部１０は、これまで行ってきた他の処理を効率的に行い、さらに、これまで行ってこなかったその他の処理も行うことが可能になる。
【００３７】
そこで、続いて、生データ収集部１０によって効率的に行われるようになった処理、あるいは、これまで行ってこなかった他の処理を説明する。まず、生データ収集部１０によって効率的に行われるようになった処理には、生データの並べ替え処理がある。
【００３８】
並べ替え処理について説明する。生データ収集部１０は、ＭＲＩエコー信号データを生データ収集部メモリ１０−１ａのｋ空間に格納する。ここで、ＭＲＩエコー信号データは、画像再構成部１２によってフーリエ変換されることにより画像に再構成される。このフーリエ変換のためにＭＲＩエコー信号データを一時的に格納する領域が、ｋ空間である。具体的には、ｋ空間は、周波数エンコーディング×位相エンコーディングの行列で表され、例えば、周波数エンコーディングが「５１２ポイント」である場合には、ｋ空間は、５１２列となる。すなわち、生データ収集部１０は、１シーケンスにおいて、ｋ空間の１ライン分のＭＲＩエコー信号データを収集する。また、生データ収集部１０は、シーケンスの繰り返しごとに位相エンコーディング勾配が変化することにより、異なるラインのＭＲＩエコー信号データを収集する。
【００３９】
ところで、マルチスライス撮像においては、生データ収集部１０は、１シーケンスにおいて、複数スライスのＭＲＩエコー信号データを収集する。例えば、あるシーケンスのＴＲ（Repetition  Time）が６００ミリ秒の場合に、１スライスを励起し、ＭＲＩエコー信号データを収集するまでに３０ミリ秒要するとする。この場合、次のシーケンスにおいてスライスを励起するまでに、５７０ミリ秒の待ち時間が発生することになる。この点、マルチスライス撮像においては、待ち時間の間に、他のスライスを励起し、ＭＲＩエコー信号データを収集する。結局、生データ収集部１０は、１シーケンスにおいて、ｋ空間の１ライン分のＭＲＩエコー信号データを複数スライスについて収集することになる。
【００４０】
例えば、図６に例示するように、４スライスのマルチスライス撮像を想定する。また、各スライスは、周波数エンコーディングが「５１２ポイント」であり、位相エンコーディングが「９エコー」であるとする。この場合、生データ収集部１０が、生データをｋ空間に格納する順序は、例えば図６に例示するように、「スライス１の１行目」、「スライス２の１行目」、「スライス３の１行目」、「スライス４の１行目」、「スライス１の２行目」・・・となる。
【００４１】
このため、生データ収集部１０は、図６に例示するように、スライスを識別する情報と、スライスに格納されるＭＲＩエコー信号データが生データ収集部１０によって収集される順序とが対応付けられた並べ替えテーブルを予め記憶する。例えば、「スライス１」のｋ空間には、「１番目、５番目、９番目、・・・、３３番目」に収集されたＭＲＩエコー信号データが格納されることを示す。そして、生データ収集部１０は、ＭＲＩエコー信号データを並べ替えテーブルに従って並べ替え、スライスごとのｋ空間に格納する。
【００４２】
ここで、生データ収集部１０は、既に補正処理済みのＭＲＩエコー信号データをバッファメモリ基板１１から１ラインずつ受信するので、バッファメモリ基板１１から受信したＭＲＩエコー信号データを生データ収集部メモリ１０−１ａに格納する際に、並べ替えテーブルに従って並べ替え、スライスごとのｋ空間に格納する。仮に、バッファメモリ基板１１から受信したＭＲＩエコー信号データが補正処理済みでない場合には、生データ収集部１０は、さらに他のバッファメモリを備え、そのバッファメモリにＭＲＩエコー信号データを一時的に蓄積し、蓄積したＭＲＩエコー信号データを１ポイントずつ補正してから並べ替えテーブルに従って並べ替え、生データ収集部メモリ１０−１ａに格納しなければならない。このように、実施例１における生データ収集部１０は、並べ替え処理を効率的に行うことが可能である。
【００４３】
次に、生データ収集部１０がこれまで行ってこなかった他の処理を説明する。上述したように、仮に、バッファメモリ基板１１によって補正処理が行われない場合には、生データ収集部１０が、補正処理を行わなければならないはずである。この場合には、生データ収集部１０が実行しなければならない処理が増え、負荷が増えるため、生データ収集部１０による処理には限界があった。
【００４４】
この点、実施例１における生データ収集部１０は、画像再構成部１２に対する生データの転送もしくは非転送を制御する処理をさらに行うことが可能になる。例えば、生データ収集部１０は、予めホストコンピュータ２０から、画像の再構成に必要な生データであるか否かを判定するための情報を受け取り、この情報に基づいて、画像再構成部１２に生データを転送するか否かを制御する。
【００４５】
ここで、画像の再構成に必要な生データであるか否かを判定するための情報としては、様々な情報が考え得る。例えば、ＭＲＩ装置１００による撮像においては、本撮像の前に、撮像に用いるコイル選択のための撮像が行われることがある。このような場合、複数コイルがＭＲＩ装置１００に接続されていても、一部のコイルしか本撮像には使用されないといった状況になり得る。このような状況において一部のコイルから収集された情報は、ノイズ相当の情報でしかない。
【００４６】
このような場合、例えば、本撮像の前に、ホストコンピュータ２０が、生データ収集部１０に対して、予め、選択されたコイルの情報（例えば、選択されたコイルに対応するチャネル、選択されないコイルに対応するチャネル）を送信したとする。すると、生データ収集部１０は、例えば、図７に例示するような判定を行い、画像再構成部１２に生データを転送するか否かを制御する。
【００４７】
図７は、生データ収集部１０における転送制御を説明するための図である。例えば、生データ収集部１０は、１ライン分の生データをバッファメモリ基板１１から受信すると（ステップＳ２０１）、受信した生データが、選択されないコイルに対応するチャネル（以下、非選択チャネル）であるか否かを判定する（ステップＳ２０２）。
【００４８】
そして、非選択チャネルである場合には（ステップＳ２０２肯定）、生データ収集部１０は、画像再構成部１２に生データを転送しないように制御する（ステップＳ２０３）。一方、非選択チャネルでない場合には（ステップＳ２０２否定）、生データ収集部１０は、画像再構成部１２に生データを転送するように制御する（ステップＳ２０４）。その後、生データ収集部１０は、生データの収集を終了したか否かを判定し（ステップＳ２０５）、終了した場合に（ステップＳ２０５肯定）、処理を終了する。
【００４９】
なお、画像の再構成に必要な生データであるか否かを判定するための情報としては、他の例も考え得る。例えば、撮像条件に基づき、例えば３２チャネルのうち４チャネル分は画像再構成に不要なチャネルであることが予め判明している場合には、その４チャネルを識別する情報などを用いてもよい。あるいは、例えば、ＭＲＩエコー信号データの収集単位が８チャネルずつである場合に、７チャネルのコイルや５チャネルのコイルなどを用いる場合には、他の１チャネルや３チャネルは不要なチャネルであることが予め判明するはずである。このような場合には、７チャネルや５チャネルのコイルを用いるといった情報などを用いてもよい。
【００５０】
［実施例１の効果］
上述したように、実施例１に係るＭＲＩ装置１００は、ＭＲＩエコー信号の生データを蓄積し、蓄積した生データに対する補正処理を行うバッファメモリ基板１１を備える。また、ＭＲＩ装置１００は、バッファメモリ基板１１によって補正処理が行われた生データをバッファメモリ基板１１から取得し、取得した生データを収集する生データ収集部１０を備える。また、ＭＲＩ装置１００は、生データ収集部１０によって収集された生データを生データ収集部１０から取得し、取得した生データを用いて画像を再構成する画像再構成部１２を備える。
【００５１】
このようなことから、実施例１によれば、生データ収集部１０の処理負荷が、少なくとも補正処理の分、軽減されるので、生データ収集部１０による処理の実行を効率化、生データ収集部１０の増設を抑制することが可能になる。生データ収集部１０の増設を抑制することができれば、省スペース、省電力、費用などの観点からも望ましい。
【００５２】
すなわち、生データ収集部１０は、１つのＣＰＵに対し１つの物理的な筐体として設置されることが多い。このため、生データ収集部１０の増設は、物理的な筐体を増設することを意味し、省スペースや省電力の観点から望ましくない。この点、生データ収集部１０の増設を抑制することができれば、省スペースや省電力の観点から望ましい。また、一般に、ＣＰＵと、例えばＦＰＧＡとの費用を比較すると、前者の方が後者に比べ、圧倒的に高価であることが多い。また、生データ収集部１０において補正処理を行う必要がなくなれば、生データ収集部１０のＣＰＵに、より安価なものを選択することが可能になる。このようなことから、費用の観点からも望ましいことになる。
【００５３】
また、生データ収集部１０は、複数のバッファメモリ基板１１を搭載することができるので、生データ収集部１０ごとに、収集チャネル数を拡張できる構成となる。
【００５４】
また、バッファメモリ基板１１は、予め設定された演算を実行する論理回路が配置された基板である。このようなことから、実施例１によれば、補正処理は、高速かつ処理時間を予測することが可能なものとなる。
【００５５】
また、バッファメモリ基板１１は、情報の書き換えが可能な論理式メモリをさらに備え、論理式メモリに記憶された情報に従って論理回路に演算を実行させる。このようなことから、実施例１によれば、論理回路による処理内容を再構築することが可能になるので、将来、処理が複雑化した場合などにも柔軟に対応することが可能である。
【００５６】
また、バッファメモリ基板１１は、補正処理を行うか否かの指示を受け付け、受け付けた指示に応じて、蓄積した生データに対する補正処理を行うか否かを選択する。このようなことから、実施例１によれば、ＥＰＩ撮像など、高速な撮像が行われる場合にも、適切に対応することが可能になる。
【００５７】
また、生データ収集部１０は、バッファメモリ基板１１から取得した生データが、再構成に用いられる情報を含む生データであるか否かを判定する。そして、生データ収集部１０は、再構成に用いられる情報を含む生データであると判定した場合には、取得した該生データを画像再構成部１２に転送するように制御し、再構成に用いられる情報を含まない生データであると判定した場合には、取得した該生データを画像再構成部１２に転送しないように制御する。このようなことから、実施例１によれば、再構成処理に不要な生データが画像再構成部１２に送信されることがなく、画像再構成部１２が、不要な生データを一旦受け取り、その後廃棄する、といった無駄な処理を行う必要もなくなるので、全体として処理を効率化することが可能になる。
【符号の説明】
【００５８】
１  静磁場磁石
２  傾斜磁場コイル
３  傾斜磁場電源
４  寝台
５  送信コイル
６  受信コイル
７  送信部
８  受信部
９  リアルタイムシーケンサ
１０  生データ収集部
１１  バッファメモリ基板
１２  画像再構成部
２０  ホストコンピュータ
１００  ＭＲＩ装置
【図１】
2011143032.tif 000003
【図２】
2011143032.tif 000004
【図３】
2011143032.tif 000005
【図４】
2011143032.tif 000006
【図５】
2011143032.tif 000007
【図６】
2011143032.tif 000008
【図７】
2011143032.tif 000009
【図８】
2011143032.tif 000010